(57)【特許請求の範囲】
【請求項１】
フレキシブル基板を他のプリント基板に接続するためのコネクタであって、
前記フレキシブル基板と接触する導電性のコンタクトと、
前記コンタクトよりも前記フレキシブル基板挿入側に設けられ、フレキシブル基板を前記コネクタに対して位置決めするための位置決め部と、
前記フレキブル基板をコンタクトに対して押圧するカバー部とを備え、
前記位置決め部は前記フレキシブル基板を挿入する奥方向に向かって傾斜が高くなるテーパ面が形成され、前記テーパ面の頂点と前記カバー部との間の前記フレキシブル基板の挿入時の厚み方向に対する距離が前記フレキシブル基板の厚み以上となっていることを特徴とするフレキシブル基板用コネクタ。
【請求項２】
前記位置決め部の頂点が、前記フレキシブル基板の厚みよりも高いことを特徴とする請求項１記載のフレキシブル基板用コネクタ。
【発明の詳細な説明】
【技術分野】
【０００１】
本発明は、フレキシブル基板と他のプリント基板とを電気的に接続するために用いるフレキシブル基板用コネクタに関するものである。
【背景技術】
【０００２】
図１（Ａ）は、従来のフレキシブル基板用コネクタの断面図である。
図１（Ｂ）は、図１（Ａ）断面図を斜め前方から見た従来のフレキシブル基板用コネクタの図である。
従来のコネクタ６９は、ハウジング６５、位置決め部６１、端子６０、押圧部材６４、コンタクト６６とから構成され、プリント基板９０に接着剤や半田等により固定され載置されている。
【０００３】
ハウジング６５は、フレキシブル基板７０を載置可能な平面を有し、載置平面の両側端には、上部に突出した位置決め部６１が載置される。ハウジング６５は、端子６０の基部及び一体に形成されたコンタクト６６を収容し保持する。
【０００４】
位置決め部６１は、挿入されたフレキシブル基板７０の引っ掛け部７５と掛止し、コネクタ６９に対してフレキシブル基板７０を幅方向に規制して固定するものである。
【０００５】
端子６０は、基部と、基部と一体に形成されたコンタクト６６と、押圧部材６４を係合支持する回動支持部６２とから構成されている。端子６０は、プリント基板９０に形成されたパターンと半田等により接続されている。
【０００６】
コンタクト６６は、先端にフレキシブル基板７０と接触する突起状の接触部６７が形成されている。また、幅方向に複数のコンタクトが狭いピッチで形成され、弾性を有している。
【０００７】
押圧部材６４は、回動支持部６２により端子６０に対して回動可能に構成されている。換言すると、押圧部材６４はピン６３を中心として矢印方向に回動する。押圧部材６４の下部には、押圧部材６４を下方向に回動させたとき、フレキシブル基板７０を押圧する押圧部６４Ａが形成されている。
【０００８】
フレキシブル基板７０は、ベースフィルム一面に接着剤が塗布されており、コンタクト６６と接続される端子が設けられている。また、フレキシブル基板７０にはコネクタ６９の位置決め部６１に引っ掛かかる、換言すると位置決めされる引っ掛け部７５が形成されている。
【０００９】
フレキシブル基板７０とコネクタ６９との接続方法について説明する。
コネクタ６９にフレキシブル基板７０を挿入すると、引っ掛け部７５が位置決め部６１に引っ掛かり、フレキシブル基板７０がコネクタ６９に対し、フレキシブル基板７０の幅方向及びコネクタ６９への挿抜方向に対して位置決めされる。また、押圧部材６４を下方向に回動させると、押圧部６４Ａがフレキシブル基板７０と接触し、押圧部材６４は上方向へ押し上げられ、押し上げられた押圧部材６４により端子６０の基部も上方向に持ち上げられる。これにより端子６０の基部と一体に形成されたコンタクト６６も押し上げられ、フレキシブル基板７０と接触する。また、押圧部材６４を更に下方向に回動させることで、押圧部材６４とコンタクト６６とによりフレキシブル基板７０が狭持され、フレキシブル基板７０とコネクタ６９が取り付けられた基板間を電気的に接続することができる。
【００１０】
フレキシブル基板と他のプリント基板等とを電気的に接続するためのコネクタとして下記の特許文献１等がある。
【特許文献１】特開２００６−３２２１６
【発明の開示】
【発明が解決しようとする課題】
【００１１】
従来のようなコネクタ６９では、水平に挿入しようとするとフレキシブル基板７０の引っ掛け部７５が位置決め部６１に接触するため、フレキシブル基板７０の挿入がし辛い。そのため、位置決め部６１の斜め上方から位置決め部６１を避けてフレキシブル基板７０をコネクタ６９に挿入する。しかし、位置決め部６１の斜め上方からフレキシブル基板７０を挿入すると、フレキシブル基板７０とコンタクト６６を擦り合わせてしまい、フレキシブル基板７０の端子の剥離やコンタクト６６の破損が発生し、導通不良になるおそれがある。また、図２のようにフレキシブル基板７０とコンタクト６６が接触し、コンタクト６６にフレキシブル基板７０の接着剤が付着して異物が付着し易くなり、導通不良を起すおそれがある。
【００１２】
また、図３のように電子機器８０の場合には、各基板や搭載ユニットを組み立てられた状態で、フレキシブル基板７０を備えた基板と接続するコネクタ６９を備えた基板間を接続している。
【００１３】
フレキシブル基板７０が長すぎると自重や引き回し等によりコネクタ６９から抜ける可能性があるため、フレキシブル基板７０はある程度の短さにされている。
このような電子機器におけるフレキシブル基板を接続する場合では、フレキシブル基板７０が短いため、コネクタ６９に挿入するのがより一層難しく、フレキシブル基板７０とコネクタ６９のコンタクト６６とを擦り合わせてしまう可能性が極めて高くなる。
【００１４】
本発明は、フレキシブル基板の端子とコンタクトへの異物付着や、フレキシブル基板の端子剥離やコンタクトの破損による導通不良を防止することを目的とする。
【課題を解決するための手段】
【００１５】
上記目的を達成するために本発明は、フレキシブル基板を他のプリント基板に接続するためのコネクタであって、前記フレキシブル基板と接触する導電性のコンタクトと、前記コンタクトよりも前記フレキシブル基板挿入側に設けられ、フレキシブル基板を前記コネクタに対して位置決めするための位置決め部と、前記フレキブル基板をコンタクトに対して押圧するカバー部とを備え、前記位置決め部は前記フレキシブル基板を挿入する奥方向に向かって傾斜が高くなるテーパ面が形成され、前記テーパ面の頂点と前記カバー部との間の前記フレキシブル基板の挿入時の厚み方向に対する距離が前記フレキシブル基板の厚み以上となっていることを特徴とするものである。
【００１６】
また、前記位置決め部の頂点が、前記フレキシブル基板の厚みよりも高くしてもよい。
【発明の効果】
【００１７】
本発明によれば、前記ハウジングに設けられた位置決め部に、テーパ面が形成されていることで、フレキシブル基板がテーパ面に沿ってコネクタ内へ挿入されるので、挿入が容易となり、フレキシブル基板とコンタクトとが不要に擦り合うことを防止できる。また、フレキシブル基板を水平に挿入可能としたことで、フレキシブル基板とコンタクトが接触しても、応力が水平方向に逃げることができる。これにより、フレキシブル基板とコンタクトの接触により、フレキシブル基板の端子が剥離することが防止でき、またコンタクトが押圧されて削り取られることを防止できる。
【００１８】
また、位置決め部の頂点が、フレキシブル基板の厚みよりも高くした場合には、フレキシブル基板が位置決め部から外れ難くすることができ、確実に位置決めすることができる。
【発明を実施するための最良の形態】
【００１９】
以下、本発明の実施例について図に基づいて説明する。
図４（Ａ）は本発明の実施例１に係るフレキシブル基板用コネクタの断面図である。
図４（Ｂ）は、図４（Ａ）断面図を斜め前方から見た図である。
コネクタ１９は、ハウジング１５と、端子１０と、カバー部１４と、位置決め部１１とから構成される。
【００２０】
ハウジング１５は、フレキシブル基板７０を載置可能な平面を有し、載置平面の両側端には、上部に突出した位置決め部１１が載置される。ハウジング１５は、端子１０の基部及び一体に形成されたコンタクト１６を収容し保持する。
端子１０は、ハウジング１５内に配置されており、基部と、フレキシブル基板と電気的に接続するためのコンタクト１６と、カバー部１４を軸支するピン１３とが一体的に形成されている。端子１０は、プリント基板９０に形成されたパターンと半田等により接続されている。
コンタクト１６は、フレキシブル基板７０の端子と接触し、基板間を電気的に接続するためのものであって、ハウジング１５の長手方向に複数のコンタクト１６が狭いピッチで一定間隔に形成され、弾性を有している。
ピン１３は、基部に設けられ、カバー部１４の被支持部１２を係合支持する。
【００２１】
位置決め部１１は、ハウジング上に設けられた突出片であり、コンタクト１６よりもフレキシブル基板７０の挿入手前側（挿入方向側）であって、ハウジング１５の長手方向の両端に設けられている。
位置決め部１１には、フレキシブル基７０を挿入する奥方向に向かって傾斜が高くなるテーパ面１１Aが形成されている。このテーパ面１１Aの頂点は従来の位置決め部６１の上面と同じ高さ以下に形成されている。
【００２２】
尚、位置決め部１１の高さがフレキシブル基板７０の厚み以下だと、フレキシブル基板７０との接触面が減り、十分に固定できず外れ易くなるため、位置決め部１１は、挿入されるフレキシブル基板７０の厚み以上の高さ且つコンタクトよりも高く突出するように形成されている。また、位置決め部１１とピン１３との間の距離Lが少なくともフレキシブル基板の厚み以上となっている。
ハウジング１６の両端に設けられた位置決め部１１がフレキシブル基板７０の引っ掛け部７５を掛止することで、コネクタ１６に対しフレキシブル基板７０の位置を固定することができる。
【００２３】
カバー部１４は、ハウジングの上方に設けられ、ピン１３により係合支持された被支持部１２とからなる。
カバー部１４は、被支持部１２がピン１３に係合支持されることで回動することができる。
カバー部１４が位置決め部１１方向（下方向）に回動すると、カバー部１４の押圧部１４Ａがフレキシブル基板と接触し、カバー部１４は上方向へ押し上げられる。押し上げられたカバー部１４が端子１０と接触することで、端子１０が上方向に持ち上げられる。これにより端子１０と一体に形成されたコンタクト１６も押し上げられ、フレキシブル基板７０と接触する。また、カバー部１４を更に下方向に回動させることで、カバー部１４とコンタクト１６とによりフレキシブル基板７０が狭持され、フレキシブル基板７０とコネクタ１９が取り付けられた基板間を電気的に接続することができる。
【００２４】
図５は、コネクタと接続されるフレキシブル基板を説明する図である。
フレキシブル基板７０は、ベースフィルムの一面に接着剤が塗布されており、接着剤面にコネクタ１９のコンタクト１６と接続される端子が設けられている。また、フレキシブル基板７０にはコネクタ１９の位置決め部１１に引っ掛かかる、換言すると位置決めされる引っ掛け部７５が形成されている。
詳細には、フレキシブル基板７０は図５（Ｂ）に示すように、複数のフィルムが接着剤で積層され、上層にベース接着剤が塗布されることで端子となるパターンが貼り付けられる。
【００２５】
図６は、本発明の実施例１に係るフレキシブル基板用コネクタへのフレキシブル基板の挿入状態を示す図である。
【００２６】
先ず図６（Ａ）に示すように、フレキシブル基板７０をコネクタ１９に挿入するため位置決め部１１に接触させる。
【００２７】
フレキシブル基板７０をコネクタ１９の内側（コンタクト１６方向）方向に押すと、図６（Ｂ）に示すようにフレキシブル基板７０が位置決め部１１のテーパ面１１Aにより滑り、コネクタ１９の内側方向に挿入され、コンタクト１６の上部を略平行に移動する。
このように、位置決め部１１にフレキシブル基板７０を挿入する奥方向に向かって傾斜が高くなるテーパ面１１Aを形成することで、フレキシブル基板７０がテーパ面１１Aにより挿入方向に案内される。これにより、フレキシブル基板７０をコネクタ１９に対してスムーズに挿入することができる。また、フレキシブル基板７０がテーパ面１１Aの頂点を支点にコネクタ１９に挿入されるので、コンタクト１６に対して略平行に挿入することができる。
【００２８】
図６（Ｃ）はフレキシブル基板７０をコネクタ内部に挿入し、カバー部１４を下方向に回動した状態を示している。フレキシブル基板７０をコネクタに挿入した状態で、カバー部１４を下方向に回動すると、カバー部１４の押圧部１４Ａがフレキシブル基板と接触し、カバー部１４は上方向へ押し上げられる。押し上げられたカバー部１４が端子１０と接触することで、端子１０が上方向に持ち上げられる。これにより端子１０と一体に形成されたコンタクト１６も押し上げられ、挿入されたフレキシブル基板７０と接触する。
【００２９】
その後、更にカバー部１４を回動させ、図６（D）に示される閉位置にもたらすことで、フレキシブル基板が、カバー部１４とコンタクト１６とにより狭持される。カバー部１４が閉位置になることで、コンタクト１６とフレキシブル基板の端子とが確実に接触し、フレキシブル基板７０とコネクタ１９が取り付けられた基板間を電気的に接続することができる。
【００３０】
このように本発明によれば、位置決め部１１のテーパ面によりフレキシブル基板をコネクタに対して水平方向に挿入できるので、挿入時にコンタクト１６と接触することが回避できる。これにより、フレキシブル基板７０とコンタクト１６との接触により発生する応力によって、コンタクトが削り取られることを防止することができる。例え、フレキシブル基板７０がコンタクト１６に接触しても、水平方向に応力が逃げるので、コンタクト１６が破壊されるおそれはない。
【００３１】
また、水平方向に挿入されることでフレキシブル基板７０の接着剤がコンタクト部１６に付着するおそれがない。
【００３２】
これにより、フレキシブル基板の端子とコンタクトへの異物付着や、フレキシブル基板の端子剥離やコンタクトの破損による導通不良を防止することができる。
【図面の簡単な説明】
【００３３】
【図１】従来のフレキシブル基板用コネクタの断面図
【図２】従来のフレキシブル基板用コネクタのフレキシブル基板挿入状態を示す図
【図３】従来の電子機器におけるフレキシブル基板とフレキシブル基板用コネクタとの接続を示す図
【図４】本発明の実施例１に係るフレキシブル基板用コネクタの断面図
【図５】フレキシブル基板を説明する図
【図６】本発明の実施例１に係るフレキシブル基板用コネクタのフレキシブル基板挿入状態を示す図
【符号の説明】
【００３４】
１０、６０    端子
１１、６１    位置決め部
１２、６２    被支持部
１３、６３    ピン部
１４          カバー部
１５、６５    ハウジング
１６、６６    コンタクト
６７          接触部
１９、６９    コネクタ
７０          フレキシブル基板
８０          電子機器
９０          プリント基板
【図１】
0004845596.tif 000002
【図２】
0004845596.tif 000003
【図３】
0004845596.tif 000004
【図４】
0004845596.tif 000005
【図５】
0004845596.tif 000006
【図６】
0004845596.tif 000007